(57)【要約】  【課題】  表示部及び音声出力部の回動角度に伴わず、音声出力部から出力される音の指向性を維持することが可能な表示装置を提供する。  【解決手段】  液晶表示パネルにより構成される表示部１３と、表示部１３を隔てた上下位置にそれぞれアクチュエータ２０ａ，２０ｂとを配置させて構成されている液晶表示モニタが、水平軸回りに回動可能に構成されている。デジタルビデオカメラ１のＣＰＵ１０は、音声出力を行なう場合に、液晶表示モニタの所定位置からの回動角度を角度検出部１４により検出し、検出した回動角度に応じて音声出力部２ａ，２ｂが有する可変インピーダンス２１ａ，２１ｂのインピーダンスを変更する。【選択図】      図３
2005210318.tif 000002
【特許請求の範囲】
【請求項１】
表示部と、音声信号に応じた音を出力する音声出力部と、前記表示部及び音声出力部を所定の軸回りに回動させる回動軸部とを備える表示装置において、
前記表示部及び音声出力部の回動角度を検出する検出部と、
該検出部が検出した回動角度に応じて前記音声出力部が出力する音量の増減を制御する制御部と
を備えることを特徴とする表示装置。
【請求項２】
前記音声出力部は、前記回動軸部に係る軸に直交する方向に間隔を隔てた位置にそれぞれ設けられており、
前記制御部は、前記検出部が検出した回動角度に応じて、一方の音声出力部が出力する音量を増加させ、他方の音声出力部が出力する音量を減少させるように制御すべく構成されていることを特徴とする請求項１に記載の表示装置。
【請求項３】
前記音声出力部は、抵抗値の増減に従って出力する音量を増減させる抵抗部を備えており、
前記制御部は、前記検出部が検出した回動角度に応じて前記抵抗部における抵抗値の増減を制御するように構成されていることを特徴とする請求項１又は２に記載の表示装置。
【請求項４】
前記表示部は、表示面に被覆膜を備えており、
前記音声出力部は、前記被覆膜を振動させて音を出力するように構成されていることを特徴とする請求項１乃至３のいずれかひとつに記載の表示装置。
【発明の詳細な説明】
【技術分野】
【０００１】
本発明は、音声信号に応じた音を出力する音声出力部を備える表示装置に関するものである。
【背景技術】
【０００２】
近年、デジタルカメラに搭載されるモニタ装置、テレビジョン装置が備えるモニタ装置、パーソナルコンピュータに外付けされるディスプレイ装置等の表示装置に液晶表示パネルが用いられている。このような表示装置において、液晶表示パネル又は液晶表示パネルの前面に取り付けられた透明膜を、例えば圧電素子からなるアクチュエータによって振動させる構成とすることにより、スピーカを搭載した表示装置が提案されている（例えば、特許文献１参照）。
【０００３】
図６は上述したような表示装置を備えるテレビジョン装置（液晶テレビ）を示す模式図であり、図６（ａ）に液晶テレビの斜視図を、図６（ｂ）に液晶テレビの側面図をそれぞれ示している。液晶テレビ６は、矩形の液晶表示パネル６０を筺体の一面（前面部分）に設けた液晶表示ディスプレイ６１を備えている。液晶表示ディスプレイ６１は、液晶表示パネル６０を設けた面の裏面側の背面部分を支持部６２で支持されており、デスク上で安定して保持される。
【０００４】
液晶表示パネル６０は内部に例えば複数の液晶素子を２次元マトリクス状に配列した表示部６０ａと、表示部６０ａの上下位置のそれぞれに配置されたアクチュエータ６０ｂ，６０ｃとを備えており、これらの表面に透明膜が形成されている。このような構成の液晶テレビ６においては、図示しない制御部からの制御に従って振動するアクチュエータ６０ｂ，６０ｃの振動が表面の透明膜を振動させ、この透明膜の振動により空気中に音が伝播される。
【０００５】
また、液晶表示ディスプレイ６１は、支持部６２との接続箇所において、図６（ａ）において一点鎖線で示す回動軸６３を中心として回動軸６３回りに矢符６３ａで示す方向に回動が可能に構成されている。このような構成の液晶テレビ６を使用するユーザは、液晶表示ディスプレイ６１を回動軸６３回りに所望の角度だけ回動させることにより、液晶表示ディスプレイ６１からの光、及び液晶表示ディスプレイ６１により反射される外光による眼の疲れを低減させることができる。
【特許文献１】特開２００３−２４４７８４号公報
【発明の開示】
【発明が解決しようとする課題】
【０００６】
しかし、上述したようにスピーカとしても機能する液晶表示パネル６０を備えた液晶テレビ６において、液晶表示ディスプレイ６１を回動させた場合、液晶表示パネル６０から出力される音声の指向性が変化する。例えば、液晶表示ディスプレイ６１を回動させて、図６（ｂ）に示すように液晶表示パネル６０が斜め上方向を向くように傾けた場合、液晶表示パネル６０から出力される音声も斜め上方向の指向性を有することになる。これにより、液晶表示パネル６０から出力される音における液晶表示ディスプレイ６１の前面にいるユーザへの音量が小さくなるという問題が生じる。また、この問題を解消するために液晶表示パネル６０が出力する音の音量を増加させる場合には、液晶テレビ６における消費電力が増大するという問題がある。なお、これらの問題は液晶表示パネル６０から音が出力される構成の装置に限られず、液晶表示ディスプレイ６１の回動軸６３を隔てた位置に複数のスピーカを配置する装置においても同様に生じる。
【０００７】
本発明は斯かる事情に鑑みてなされたものであり、表示部及び音声出力部の回動角度に伴わず、音声出力部から出力される音の指向性を維持することにより、ユーザまで伝播される音量を維持することが可能な表示装置を提供することを目的とする。また、複数の音声出力部を備えた場合に、それぞれの音声出力部が発する音量の増加に伴う消費電力の増加を防止することが可能な表示装置を提供することを他の目的とする。
【課題を解決するための手段】
【０００８】
本発明に係る表示装置は、表示部と、音声信号に応じた音を出力する音声出力部と、前記表示部及び音声出力部を所定の軸回りに回動させる回動軸部とを備える表示装置において、前記表示部及び音声出力部の回動角度を検出する検出部と、該検出部が検出した回動角度に応じて前記音声出力部が出力する音量の増減を制御する制御部とを備えることを特徴とする。
【０００９】
本発明による場合は、所定の軸回りに回動する表示部及び音声出力部の回動角度を検出し、検出した回動角度に応じて、音声出力部が出力する音量を増減させることにより、表示部及び音声出力部が回動されることに伴って、音声出力部から出力される音の出力方向が変移することにより変化する音量の増減を防止することが可能となる。
【００１０】
本発明に係る表示装置は、前記音声出力部は、前記回動軸部に係る軸に直交する方向に間隔を隔てた位置にそれぞれ設けられており、前記制御部は、前記検出部が検出した回動角度に応じて、一方の音声出力部が出力する音量を増加させ、他方の音声出力部が出力する音量を減少させるように制御すべく構成されていることを特徴とする。
【００１１】
本発明による場合は、表示部及び音声出力部を所定の軸回りに回動させる回動軸部に係る軸に直交する方向に間隔を隔てた位置にそれぞれ音声出力部を設けた表示装置において、前記表示部及び音声出力部の回動角度に応じて、一方の音声出力部が出力する音量を増加させ、他方の音声出力部が出力する音量を減少させることにより、表示部及び音声出力部の回動に伴ってユーザから遠ざかった前記一方の音声出力部の音量を増加させ、表示部の回動に伴ってユーザに近づいた前記他方の音声出力部の音量を減少させることが可能となる。また、前記一方の音声出力部の音量を増加させ、前記他方の音声出力部の音量を減少させることにより、音声出力部が出力する音量の増加に伴う表示装置における消費電力の増加を回避することが可能となる。
【００１２】
本発明に係る表示装置は、前記音声出力部は、抵抗値の増減に従って出力する音量を増減させる抵抗部を備えており、前記制御部は、前記検出部が検出した回動角度に応じて前記抵抗部における抵抗値の増減を制御するように構成されていることを特徴とする。
【００１３】
本発明による場合は、抵抗値の増減に従って出力する音量を増減させる抵抗部を有する音声出力部において、所定の軸回りに回動する表示部及び音声出力部の回動角度に応じて、前記抵抗部における抵抗値を増減させることにより、例えば圧電素子を用いたスピーカから出力される音量を増減させることが可能となる。
【００１４】
本発明に係る表示装置は、前記表示部は、表示面に被覆膜を備えており、前記音声出力部は、前記被覆膜を振動させて音を出力するように構成されていることを特徴とする。
【００１５】
本発明による場合は、表示部の表示面に形成された被覆膜を振動させて音を出力することにより、表示部と音声出力部とを一体的に形成することが可能となる。
【発明の効果】
【００１６】
本発明によれば、表示部及び音声出力部の回動角度に応じて音声出力部が出力する音量を増減させ、表示部及び音声出力部の回動により生じる音声出力部から出力される音の出力方向の変移に伴う音量の変化を防止することにより、ユーザが見易い角度に表示部を回動させた場合であっても、音声出力部から出力される音のユーザにおける音量を維持することができる。
【００１７】
本発明によれば、表示部及び音声出力部が回動する所定の軸に直交する方向に間隔を隔てた位置にそれぞれ設けられた音声出力部において、前記表示部及び音声出力部の回動によりユーザから遠ざかった一方の音声出力部の音量を増加させ、表示部の回動によりユーザに近づいた他方の音声出力部の音量を減少させることにより、全ての音声出力部から出力された音のユーザまで伝播される音量を維持することができる。また、音声出力部のそれぞれが出力する音量の総和が増減しないため、音声出力部が出力する音量の増加に伴う表示装置における消費電力の増加を回避することができる。
【００１８】
本発明によれば、表示部及び音声出力部の回動角度に応じて音声出力部における抵抗部の抵抗値を増減させることにより、例えば圧電素子を用いたスピーカを搭載した表示装置においても、上述したように、表示部及び音声出力部の回動角度に依存せず音声出力部から出力される音のユーザまで伝播される音量を維持することができると共に、表示装置における消費電力の増加を防止することができる。
【００１９】
本発明によれば、表示部の表示面に形成された被覆膜を振動させて音を出力することにより、表示部と音声出力部とを一体的に形成することができるため、スピーカ等を別途に設ける必要がなく、表示装置の小型化を図ることができる。また、被覆膜が表示部を隔てた位置にそれぞれ設けられた音声出力部により振動されることにより、表示部の回動角度に依存せず被覆膜の振動により出力される音の指向性を維持することができる。
【発明を実施するための最良の形態】
【００２０】
以下に、本発明に係る表示装置をその実施の形態であるデジタルビデオカメラを示す図面に基づいて詳述する。図１は本発明に係るデジタルビデオカメラの構成例を示す模式図である。図中１はデジタルビデオカメラを示しており、デジタルビデオカメラ１は、スピーカ機能を有する液晶表示モニタ３を備えている。液晶表示モニタ３は、図１において垂直方向の一点鎖線で示す垂直軸３１を中心として矢符３１ａで示す方向に略９０度の回動が可能に構成された回動軸部３２を介してデジタルビデオカメラ１の本体部に接続されており、図１においては、液晶表示モニタ３が開けられた状態のデジタルビデオカメラ１を示している。起動させていないデジタルビデオカメラ１においては、液晶表示モニタ３の表示領域を操作部１５に対向させて閉じておく。
【００２１】
液晶表示モニタ３は、垂直軸３１回りに略９０度回動されて開けられた状態において、回動軸部３２により図中に水平方向の一点鎖線で示す水平軸３０を中心として矢符３０ａで示す方向に所定範囲内での回動が可能に構成されている。これにより、デジタルビデオカメラ１のユーザは、例えばＣＣＤを用いたカメラ部１６により映像を撮影している場合に、液晶表示モニタ３を自身の見易い位置に傾けることができる。
【００２２】
図２（ａ）は液晶表示モニタ３の回動状態を説明する説明図であり、図１中の矢符Ａから見た図を示している。図２（ａ）に示すように、液晶表示モニタ３は垂直方向の所定位置を基準として所定範囲内の角度θだけ回動させることができる。図２（ｂ）は液晶表示モニタ３の内部構成例を示す模式図である。液晶表示モニタ３は、複数の液晶素子を２次元マトリクス状に配列してなる液晶表示パネルにより構成される表示部１３と、表示部１３を隔てた上下位置にそれぞれ後述するアクチュエータ２０ａ，２０ｂとを配置させており、これらの表面（表示面）を透明膜３ａで覆っている。
【００２３】
図３は本発明に係るデジタルビデオカメラ１の構成例を示すブロック図である。デジタルビデオカメラ１は、表示部１３、操作部１５及びカメラ部１６のほか、ＣＰＵ（Central Processing Unit ）１０、ＲＯＭ１１、ＲＡＭ１２、角度検出部１４、音声出力部２ａ，２ｂ等を備えており、夫々はバス１７を介して相互に接続されている。
【００２４】
ＣＰＵ１０は、バス１７を介して接続される上述したようなハードウェア各部を制御すると共に、ＲＯＭ１１に予め格納されている制御プログラムを適宜ＲＡＭ１２に読み出して実行する。ＲＯＭ１１は、デジタルビデオカメラ１を本発明に係る表示装置として動作させるために必要な種々の制御プログラム、各種のデータ及び所定の音声データ等を予め記憶している。ＲＡＭ１２は、ＳＲＡＭ又はフラッシュメモリ等で構成され、ＣＰＵ１０による制御プログラムの実行時に発生するデータを一時的に記憶する。
【００２５】
角度検出部１４は、液晶表示モニタ３が垂直軸３１（図１参照）回りに９０度回動されて開けられた所定位置を基準として、水平軸３０（図１及び図２（ａ）参照）回りに回動される回動角度θを検出する検出部として動作する。操作部１５は、デジタルビデオカメラ１を操作するための各種のキー、例えばカメラ部１６により映像信号の取得を開始する録画ボタン、録画を停止する停止ボタン、カメラ部１６により取得され、図示しない記憶部に記憶してある映像信号を表示部１３に表示させる再生ボタン、早送りボタン、巻戻しボタン等を備えている。
【００２６】
音声出力部２ａ，２ｂはそれぞれ、例えばＲＯＭ１１に予め記憶させてある音声データに基づく音声を出力するように構成されており、ローパスフィルタ２２ａ，２２ｂ、可変インピーダンス（抵抗部）２１ａ，２１ｂ、アクチュエータ（圧電素子）２０ａ，２０ｂ、増幅器２３ａ，２３ｂ等を備えている。ローパスフィルタ２２ａ，２２ｂには、例えばＲＯＭ１１に予め記憶させてある音声データに基づく音声信号Ｍ，Ｍが入力され、ローパスフィルタ２２ａ，２２ｂからの出力信号は、増幅器２３ａ，２３ｂ、可変インピーダンス２１ａ，２１ｂ、アクチュエータ２０ａ，２０ｂの電極２４ａ，２４ｂにそれぞれ入力される。
【００２７】
また、アクチュエータ２０ａ，２０ｂは電極２４ａ，２４ｂを一方の面に備えており、他方の面には、主電極２５ａ，２５ｂと帰還電極２６ａ，２６ｂとを電気的に絶縁して形成してある。主電極２５ａ，２５ｂには、可変インピーダンス２１ａ，２１ｂの出力端子と、増幅器２３ａ，２３ｂの出力端子とが接続されている。帰還電極２６ａ，２６ｂは、増幅器２３ａ，２３ｂの入力端子に接続されている。
【００２８】
このような構成の音声出力部２ａ，２ｂにおいて、アクチュエータ２０ａ，２０ｂの一方の面に備えられた電極２４ａ，２４ｂと、他方の面に備えられた帰還電極２６ａ，２６ｂとがそれぞれ増幅器２３ａ，２３ｂの入力端子に接続され、増幅器２３ａ，２３ｂの出力端子が主電極２５ａ，２５ｂに接続されているため、アクチュエータ２０ａ，２０ｂは自己発振を行なう。なお、自己発振周波数は超音波領域内のものとする。
【００２９】
このように、アクチュエータ２０ａ，２０ｂが超音波周波数で自己発振を行なっている状態において、ローパスフィルタ２２ａ，２２ｂに入力される音声信号Ｍ，Ｍが、ローパスフィルタ２２ａ，２２ｂを介してアクチュエータ２０ａ，２０ｂの電極２４ａ，２４ｂに入力され、また、ローパスフィルタ２２ａ，２２ｂ及び可変インピーダンス２１ａ，２１ｂを介してアクチュエータ２０ａ，２０ｂの主電極２５ａ，２５ｂに入力されることにより、音声信号Ｍ，Ｍから振幅変調された超音波がアクチュエータ２０ａ，２０ｂから液晶表示モニタ３の表面に形成される透明膜３ａを介して放射されて空気中に伝播され、伝播媒体である空気の非線形効果により可聴音が取り出される。
【００３０】
上述した構成のデジタルカメラ１において、ＣＰＵ１０は、ユーザによる操作部１５の操作に従って実行する処理として音声出力処理を行なう場合、角度検出部１４により液晶表示モニタ３が垂直方向の所定位置から水平軸３０回りに回動した回動角度θを検出する。また、ＣＰＵ１０は、検出した回動角度θに応じて音声出力部２ａ，２ｂの可変インピーダンス２１ａ，２１ｂにおけるインピーダンス（抵抗値）を変更させる。これにより、ＣＰＵ１０はアクチュエータ２０ａ，２０ｂを有する音声出力部２ａ，２ｂが出力する音量の増減を制御する制御部として動作する。
【００３１】
ここで、ＣＰＵ１０は、表示部１３を隔てた上下位置にそれぞれ設けられたアクチュエータ２０ａ，２０ｂにおいて、液晶表示モニタ３の回動に伴いユーザから遠ざかったアクチュエータ２０ａ（又は２０ｂ）に接続される可変インピーダンス２１ａ（又は２１ｂ）のインピーダンスを増加させ、液晶表示モニタ３の回動に伴いユーザに近づいたアクチュエータ２０ｂ（又は２０ａ）に接続される可変インピーダンス２１ｂ（又は２１ａ）のインピーダンスを減少させるように制御する。このように空気中に放射される音の伝播エネルギーを変えることにより、被覆膜３ａから出力される音の指向性を一定方向に維持し、ユーザまで伝播される音量を維持することができる。また、音声出力部２ａ，２ｂにより出力される音量の総和が増減しないため、デジタルビデオカメラ１における消費電力の増加を防止することもできる。
【００３２】
図４は液晶表示モニタ３の回動角度θに対応して変化する、アクチュエータ２０ａ，２０ｂから出力される音の放射エネルギーを示すグラフである。図４中４ａで示すグラフ特性を有するアクチュエータをアクチュエータ２０ａに用い、４ｂで示すグラフ特性を有するアクチュエータをアクチュエータ２０ｂに用いた場合には、アクチュエータ２０ａ，２０ｂの両方から出力される音の指向性（出力方向）を一定に維持することができる。
【００３３】
以下に、上述した構成のデジタルカメラ１における音声出力処理について説明する。図５は本発明に係るデジタルビデオカメラ１による音声出力処理手順を示すフローチャートである。デジタルビデオカメラ１において、ユーザは操作部１５の各キーを操作することにより所望する処理の実行を指示する。ＣＰＵ１０は、ユーザにより操作部１５が操作されたか否かを判断しており（Ｓ１）、操作部１５が操作されていないと判断した場合（Ｓ１：ＮＯ）、操作部１５が操作されるまで待機する。
【００３４】
ＣＰＵ１０は、操作部１５が操作されたと判断した場合（Ｓ１：ＹＥＳ）、操作されたキーに従って実行すべき所定の処理に音声出力処理が有るか否かを判断する（Ｓ２）。音声出力処理が有ると判断した場合（Ｓ２：ＹＥＳ）、ＣＰＵ１０は、角度検出部１４により液晶表示モニタ３の回動角度θを検出し（Ｓ３）、検出した回動角度θに応じたインピーダンスに変更させるべく音声出力部２ａ，２ｂの可変インピーダンス２１ａ，２１ｂにおけるインピーダンスをそれぞれ所定の値だけ増加又は減少させる（Ｓ４）。
【００３５】
ＣＰＵ１０は、ユーザにより操作されたキーに応じた音声データをＲＯＭ１１から読み出し、読み出した音声データに基づく音声信号を音声出力部２ａ，２ｂのローパスフィルタ２２ａ，２２ｂへ入力し（Ｓ５）、また、ユーザにより操作されたキーに対応した所定の処理を実行する（Ｓ６）。一方、ステップＳ２で、操作されたキーに従って実行すべき所定の処理に音声出力処理が無いと判断した場合（Ｓ２：ＮＯ）、ＣＰＵ１０は、ステップＳ６の処理までスキップし、ユーザにより操作されたキーに対応した所定の処理を実行する（Ｓ６）。
【００３６】
上述したように、液晶表示モニタ３が、液晶表示モニタ３を見るユーザに対する向きの変更が可能に構成されている場合に、変更された向き、即ち、デジタルビデオカメラ１においては、液晶表示モニタ３における水平軸３０回りの回動角度θに応じて、液晶表示モニタ３の回動に伴ってユーザから遠ざかる一方のアクチュエータ２０ａ（又は２０ｂ）による音量を増加させ、ユーザに近づく他方のアクチュエータ２０ｂ（又は２０ａ）による音量を減少させることにより、ユーザの位置まで伝播される音量を一定に維持することができる。また、一方のアクチュエータによる音量を増加させ、他方のアクチュエータによる音量を減少させることにより、音量の増加に伴うデジタルビデオカメラ１における消費電力の増加を低減することができる。
【００３７】
上述したデジタルビデオカメラ１における液晶表示モニタ３では、図２（ｂ）で示すように、アクチュエータ２０ａ，２０ｂが表示部１３の上下位置にそれぞれ配置されているが、このアクチュエータ２０ａ，２０ｂは、表示部１３及び液晶表示モニタ３の回動軸を隔てた位置に配置されればよく、例えば液晶表示モニタ３が垂直な軸を中心に回動可能に構成されている場合には、表示部１３の左右位置に配置すればよい。また、アクチュエータ２０ａ，２０ｂを表示部１３の被覆膜３ａの裏面側に配置することもでき、この場合のアクチュエータ２０ａ，２０ｂは、表示部１３を振動させることになる。
【００３８】
上述した実施の形態では、本発明の表示装置をデジタルビデオカメラ１に適用した例について説明しているが、デジタルビデオカメラ１に限られず、テレビジョン装置、パーソナルコンピュータに外付けされるディスプレイ装置等の液晶表示モニタを備えた装置においても適用することが可能である。また、本発明の表示装置は、被覆膜３ａをアクチュエータ２０ａ，２０ｂが振動させることにより音を出力するように構成された液晶表示モニタ３に限られず、表示モニタとは別途に、回動する表示モニタの回動軸を隔てた位置、より具体的には、この回動軸に直交する方向に間隔を隔てた位置に複数のスピーカを備え、表示モニタの回動に伴ってそれぞれのスピーカとユーザとの距離に変化が生じる装置においても適用することができる。
【図面の簡単な説明】
【００３９】
【図１】本発明に係るデジタルビデオカメラの構成例を示す模式図である。
【図２】（ａ）は液晶表示モニタの回動状態を説明する説明図、（ｂ）は液晶表示モニタの内部構成例を示す模式図である。
【図３】本発明に係るデジタルビデオカメラの構成例を示すブロック図である。
【図４】液晶表示モニタの回動角度に対応して変化するアクチュエータから出力される音の放射エネルギーを示すグラフである。
【図５】本発明に係るデジタルビデオカメラによる音声出力処理手順を示すフローチャートである。
【図６】従来の表示装置を備えるテレビジョン装置を示す模式図である。
【符号の説明】
【００４０】
１  デジタルビデオカメラ（表示装置）
１０  ＣＰＵ（制御部）
１３  表示部
１４  角度検出部（検出部）
２ａ，２ｂ  音声出力部
２０ａ，２０ｂ  アクチュエータ
２１ａ，２１ｂ  可変インピーダンス（抵抗部）
３  液晶表示モニタ
３ａ  被覆膜
３０  水平軸
３２  回動軸部
【図１】
2005210318.tif 000003
【図２】
2005210318.tif 000004
【図３】
2005210318.tif 000005
【図４】
2005210318.tif 000006
【図５】
2005210318.tif 000007
【図６】
2005210318.tif 000008